(57)【要約】      （修正有）【課題】効果的に遊技球を移動させることのでき、遊技球の盤面上での挙動に斬新さがある遊技機を提供する。【解決手段】ゲート２０と第１種始動口１８との間に球跳ねプレート４０が配置されている。球跳ねプレート４０は透明のプラスチックからなり、固定部の上端には球受け部が設けられている。球跳ねプレート４０は、球受け部が中央側に傾斜した状態で盤面に装着され、球受け部に落下した遊技球は上板面上を転動し、または、大きく跳ね飛ばされる。【選択図】図２
2010158539.tif 000002
【特許請求の範囲】
【請求項１】
ほぼ垂直に配置された遊技盤と遊技球を弾く弾球手段と遊技球が入賞可能な入賞口とからなる遊技機において、
少なくとも同遊技盤の遊技球移動領域の中間部に位置し、同弾球手段により弾かれて上方から落下する遊技球を誘導し或いは散乱させる球跳ね部材と、
同球跳ね部材への遊技球の接離を無作為に行うための遊技空間とを有し、
同球跳ね部材に前記遊技盤の面方向に延設された延設部を設け、同延設部表面に同遊技空間から遊技球が干渉すると共に、同遊技球を遊技球移動領域の中央方向に誘導し或いは散乱させることを特徴とする遊技機。
【発明の詳細な説明】
【技術分野】
【０００１】
この発明は、遊技球を誘導し或いは散乱させるための球跳ね部材を遊技盤面上に備えた遊技機に関する。
【背景技術】
【０００２】
従来の遊技機においては、遊技球を誘導し或いは散乱させるためには、真鍮製の遊技釘が使用されていた。即ち、盤面上に遊技釘を適宜配設することにより、遊技釘に当接した遊技球を入賞口方向へ誘導し、或いは盤面に散乱するようにしていた。例えば、図２８に示すように、盤面中央の特別図柄表示装置１１の下方に第１種始動口１２が配置されている第１種のパチンコ機１０がある。この第１種のパチンコ機１０の盤面には第１種始動口１２方向に遊技球を導く遊技釘１３が配設されている。遊技機１０の盤面において遊技釘１３は盤面の側部から中央に向かって斜め下がりに各釘が近接して直列に配設されている。このように、盤面の面方向に連続的に配設された一連の釘を並び釘という。
【発明の概要】
【発明が解決しようとする課題】
【０００３】
しかし、並び釘を使用した従来の遊技機においては、遊技釘間の隙間を可能な限り狭くして配列しても各釘間に隙間が生じ、遊技球を盤面の中央に寄せようとする場合、傾斜角度を水平に対して経験的に３０度よりも緩くすると遊技球がこの隙間の間に保持されて遊技釘１３の上で停止してしまうという問題があった。このため、並び釘を使用して第１種始動口１２方向に遊技球を導くためには、図柄表示装置１１と第１種始動口１２との上下間に並び釘に傾斜角度を与えるための一定の配置スペースを必要とした。ところが近年は図柄表示装置がますます大型化する傾向にあり、それに応じて遊技釘を配設できる盤面部分が減少し、上記の配置スペースが十分に確保できないという問題も生じた。このため、遊技球を盤面の側部から緩い傾斜で中央に寄せることのできる遊技機の開発が必要とされていた。
また、従来の遊技機における伝統的な遊技釘では球の跳ね方が遊技者にとって既に陳腐化しており、遊技球の盤面上での挙動により新しさが求められていた。この発明はこれらの事情に鑑みてなされたものであって、その目的は効果的に遊技球を移動させることのでき、遊技球の盤面上での挙動に斬新さがある遊技機を提供することにある。
【課題を解決するための手段】
【０００４】
上記の目的を達成するために、請求項１に記載の発明は、ほぼ垂直に配置された遊技盤と遊技球を弾く弾球手段と遊技球が入賞可能な入賞口とからなる遊技機において、少なくとも同遊技盤の遊技球移動領域の中間部に位置し、同弾球手段により弾かれて上方から落下する遊技球を誘導し或いは散乱させる球跳ね部材と、同球跳ね部材への遊技球の接離を無作為に行うための遊技空間とを有し、同球跳ね部材に前記遊技盤の面方向に延設された延設部を設け、同延設部表面に同遊技空間から遊技球が干渉すると共に、同遊技球を遊技球移動領域の中央方向に誘導し或いは散乱させることをその要旨とする。
上記の構成によれば、遊技球は無作為に球跳ね部材の延設部表面に落下し、遊技球移動領域の中央方向に誘導され或いは散乱される。
【発明の効果】
【０００５】
請求項１に記載の発明では、球跳ね部材と同球跳ね部材への遊技球の接離を無作為に行うための遊技空間とを有しているので、落下する遊技球は球跳ね部材に特定の経路では誘導されず、遊技空間のあらゆる方向から球跳ね部材の表面に落下する。従って、遊技球の盤面上での挙動に斬新さを与えることができる。また、球跳ね部材に遊技盤の面方向に延設された延設部を設け、同延設部表面に同遊技空間から遊技球が干渉すると共に、同遊技球を遊技球移動領域の中央方向に誘導し或いは散乱させることを特徴とするので、遊技球を盤面の側部から中央に寄せることができる。
【図面の簡単な説明】
【０００６】
【図１】本発明の実施の形態のパチンコ機の斜視図。
【図２】実施の形態のパチンコ機の盤面を示す正面図。
【図３】（ａ）実施の形態のパチンコ機に装着された球跳ねプレートの正面図。（ｂ）同球跳ねプレートの右側面図。（ｃ）同球跳ねプレートの平面図。（ｄ）図（ａ）におけるＣ−Ｃ断面図。（ｅ）球跳ねプレートにＬＥＤを装着した状態における平面図。（ｆ）同球跳ねプレートを盤面に装着した状態を示す右側面図。（ｇ）同球跳ねプレートの背面図。（ｈ）同球跳ねプレートのネジ孔を示す部分断面図。
【図４】実施の形態のパチンコ機の盤面に球跳ねプレートが装着されている状態を示す拡大正面図。
【図５】（ａ）実施の形態のパチンコ機に装着された別例の球跳ねプレートの正面図。（ｂ）同球跳ねプレートの右側面図。
【図６】（ａ）実施の形態のパチンコ機に装着された別例の球跳ねプレートの正面図。（ｂ）同球跳ねプレートの右側面図。（ｃ）同球跳ねプレートの平面図。（ｄ）図（ａ）におけるＡ−Ａ断面図。
【図７】（ａ）実施の形態のパチンコ機に装着された別例の球跳ねプレートの正面図。（ｂ）図（ａ）におけるＢ−Ｂ断面図。（ｃ）同球跳ねプレートの平面図。（ｄ）同球跳ねプレートの右側面図。
【図８】（ａ）実施の形態のパチンコ機に装着された別例の球跳ねプレートの正面図。（ｂ）図（ａ）におけるＣ−Ｃ断面図。（ｃ）同球跳ねプレートの平面図。（ｄ）同球跳ねプレートの右側面図。
【図９】（ａ）実施の形態のパチンコ機に装着された別例の球跳ねプレートの正面図。（ｂ）図（ａ）におけるＤ−Ｄ断面図。（ｃ）同球跳ねプレートの平面図。（ｄ）同球跳ねプレートの右側面図。
【図１０】（ａ）実施の形態のパチンコ機に装着された別例の球跳ねプレートの正面図。（ｂ）図（ａ）におけるＥ−Ｅ断面図。（ｃ）同球跳ねプレートの平面図。（ｄ）同球跳ねプレートの右側面図。
【図１１】（ａ）実施の形態のパチンコ機に装着された別例の球跳ねプレートの正面図。（ｂ）図（ａ）におけるＦ−Ｆ断面図。（ｃ）同球跳ねプレートの平面図。（ｄ）同球跳ねプレートの右側面図。
【図１２】（ａ）実施の形態のパチンコ機に装着された別例の球跳ねプレートの正面図。（ｂ）図（ａ）におけるＧ−Ｇ端面図。（ｃ）図（ａ）におけるＨ−Ｈ端面図。（ｄ）同球跳ねプレートの平面図。
【図１３】（ａ）実施の形態のパチンコ機に装着された別例の球跳ねプレートの正面図。（ｂ）図（ａ）におけるＩ−Ｉ断面図。（ｃ）同球跳ねプレートの右側面図。（ｄ）同球跳ねプレートの平面図。
【図１４】（ａ）実施の形態のパチンコ機に装着された別例の球跳ねプレートの正面図。（ｂ）図（ａ）におけるＪ−Ｊ断面図。（ｃ）同球跳ねプレートの右側面図。（ｄ）同球跳ねプレートの平面図。
【図１５】（ａ）実施の形態のパチンコ機に装着された別例の球跳ねプレートの正面図。（ｂ）図（ａ）におけるＫ−Ｋ断面図。（ｃ）同球跳ねプレートの右側面図。（ｄ）同球跳ねプレートの平面図。
【図１６】（ａ）実施の形態のパチンコ機に装着された別例の球跳ねプレートの盤面への装着状態における正面図。（ｂ）図（ａ）におけるＬ−Ｌ断面図。
【図１７】（ａ）実施の形態のパチンコ機に装着された別例の球跳ね具の正面図。（ｂ）図（ａ）におけるＭ−Ｍ断面図。
【図１８】（ａ）実施の形態のパチンコ機に装着された別例の球跳ねプレートの盤面への装着状態における正面図。（ｂ）同球跳ねプレートの平面図。（ｃ）同球跳ねプレートの左側面図。（ｄ）同球跳ねプレートの右側面図。
【図１９】（ａ）実施の形態のパチンコ機に装着された別例の球跳ねプレートの正面図。（ｂ）同球跳ねプレートの盤面への装着状態における正面中央縦断面図。
【図２０】（ａ）実施の形態のパチンコ機に装着された別例の球跳ねプレートの正面図。（ｂ）同球跳ねプレートの盤面への装着状態における正面中央縦断面図。
【図２１】（ａ）実施の形態のパチンコ機に装着された別例の球跳ねプレートの正面図。（ｂ）同球跳ねプレートの盤面への装着状態における正面中央縦断面図。
【図２２】（ａ）実施の形態のパチンコ機に装着された球跳ねプレートの別例であって風車と球跳ねプレートとを一体的に構成した球跳ね具の盤面への装着状態における正面図。（ｂ）同球跳ね具の盤面への装着状態における正面中央縦断面図。
【図２３】（ａ）実施の形態のパチンコ機に装着された遊技球跳ねプレートの別例であって入賞口の入口，セグ表示部と一体的に構成した球跳ね具の盤面への装着状態における正面図。（ｂ）同球跳ね具からＬＥＤ、表示板を除去した状態における平面図。（ｃ）図（ａ）におけるＯ−Ｏ端面図。（ｄ）同球跳ね具からＬＥＤ、表示板を除去した状態における正面中央端面図。（ｅ）図（ａ）におけるＮ−Ｎ端面図。
【図２４】実施の形態の別例であって図柄表示装置の両側に遊技球の通路を設け、通路の入口の下方に球跳ねプレートを配置した状態を示す正面図。
【図２５】（ａ）実施の形態のパチンコ機に装着された別例の球跳ねプレートの正面図。（ｂ）同球跳ねプレートの右側面図。（ｃ）同球跳ねプレートの平面図。（ｄ）同球跳ねプレートの左側面図。（ｅ）同球跳ねプレートの底面図。（ｆ）同球跳ねプレートに落とし穴を設けた状態を示す一部破断平面図。
【図２６】（ａ）実施の形態のパチンコ機に装着された別例の球跳ね具の正面図。（ｂ）図（ａ）におけるＮ−Ｎ断面図。（ｃ）実施の形態のパチンコ機に装着された別例の球跳ね具の正面図。（ｄ）図（ｃ）におけるＰ−Ｐ断面図。
【図２７】球跳ねプレート及び球跳ね具の盤面への固定手段の別例を示す断面図。
【図２８】従来の第１種のパチンコ機の盤面を示す正面図。
【発明を実施するための形態】
【０００７】
以下、本発明の実施の形態である遊技機（第１種始動口付きパチンコ機、以下単にパチンコ機という）を説明する。図１に示すように、外枠１には前枠２が回動軸を中心に回動可能に装着されている。同図１では前枠２は閉じた状態にある。前枠２には図示しない遊技盤、ガラス枠４、上皿５、下皿６、ハンドル部７等が装着されている。上皿５の側方であって前枠２内部にはスピーカ８が埋設されている。スピーカ８は遊技の進行に伴い種々の効果音を鳴らしたり、遊技者に遊技状態を音声にて報知する。前枠２内部には各種機構部が配設されている。
次に遊技盤３の遊技面上の構成について説明する。
図３に示すように、遊技盤３の中央には第１の可変表示装置たる特別図柄表示装置（以下単に表示装置という）１５が組み込まれている。表示装置１５は液晶ディスプレイ（ＬＣＤ）よりなる表示画面１５ａを備えている。表示画面１５ａの図柄変動は遊技球が第１種始動口１８へ入賞することで開始する。表示装置１５の上部には普通図柄表示装置１６が併設されている。普通図柄表示装置１６は発光ダイオード（ＬＥＤ）よりなる４つの保留ランプ１６ａ〜１６ｄとＬＥＤよりなる第１の７セグ表示部１７とを有している。表示装置１５の下部には球跳ねプレート４０により大きく跳ね飛ばされた遊技球を案内するためのステージ２８が設けられている。遊技釘２９は盤面全体に適宜配設されている。表示装置１５の下方には第１種始動口１８が配置されている。第１種始動口１８には球検出手段たる図示しない近接スイッチが併設されている（遊技盤３の裏面側）。第１種始動口１８の入り口には一対の開閉羽根１９が併設されており、遊技球を案内する開放位置と、第１種始動口１８内に遊技球が入りにくくなる閉塞位置を採りうる。第１種始動口１８への入賞に基づいて前記表示装置１５が駆動される。開閉羽根１９は遊技盤３の裏面側に配設された図示しないソレノイドによって駆動される。
【０００８】
表示装置１５の両側方には一対の通過ゲート２０が配置されている。同ゲート２０には遊技球の通過を検出する球検出手段たる図示しない近接スイッチが併設されている（遊技盤３の裏面側）。通過ゲート２０を遊技球が通過すると前記普通図柄表示装置１６が作動する。前記第１種始動口１８の下方には大入賞口２２が配置されている。大入賞口２２は常時はシャッタ２３が閉塞されており、前記表示装置１５が作動されて特別遊技状態となると開放される。シャッタ２３は遊技盤３の裏面側に配設された図示しないソレノイドによって駆動される。また、大入賞口２２へ入賞する遊技球全体を検出する球検出手段たる図示しない近接スイッチが併設されている。遊技盤３上には遊技面を包囲するように電光装飾部２５が配置されている。電光装飾部２５は透明又は半透明のプラスチック製のパネルであって、パネルの裏面にＬＥＤよりなる図示しない装飾ランプが所定間隔で配置されている。
【０００９】
表示装置１５の上部の両側には風車２６ａ，２６ｂが、下部の両側には風車２６ｃ，２６ｄが配置されている。図３（ｆ）及び図４に示すように、第１種始動口１８と左右の通過ゲート２０との間の盤面には長孔３ｂが形成されている。同長孔３ｂを覆うように透明なプラスチック素材からなる球跳ね部材としての球跳ねプレート４０が遊技盤３上に装着されている。以下球跳ねプレート４０について詳述する。図３（ａ）〜（ｈ）に示すように、球跳ねプレート４０は延設部としての球受け部４２と、球跳ねプレート４０を盤面上に固定する固定部４６と、発光体固定部４９とから構成されている。図３（ａ）（ｂ）に示すように固定部４６は隅丸長方形板状をなし、両端下部にはネジ孔４７が設けられている。固定部４６の下縁部４６ａは斜めに面取りされている。図４に示すように、球跳ねプレート４０は、同固定部４６両端寄りに形成されたネジ孔４７に螺入された木ネジ５８によって遊技盤３に対して固着されている。固定部４６の盤面側（背面側）には、上部両端、下部中央の３か所に半球状の突起４８が形成されており、木ネジ５８で球跳ねプレート４０が固定された状態で盤面に食い込んでいる。固定部４６の上端には球受け部４２が設けられている。球受け部４２は、下板４４と上板４３とを有している。下板４４は、固定部４６の上端から同固定部４６と同幅で前方に張り出し形成されている。下板４４及び上板４３は長方形板状をなし、固定部４６に対して直交するように配置されている。上板４３は下板４４両端の支持部４５によって支持されている。支持部４５は断面アーチ状に形成されている。上板４３は下板４４に対してわずかな間隔を持って配設されている。上板４３の後端部４３ａは盤面３ａに非接触状態とされている。従って、上板４３は支持部４５のみで支持される。転動面としての上板４３の表面は平滑に形成されている。
【００１０】
図３（ｆ）に示すように長孔３ｂ内部には発光体固定部４９及びＬＥＤ５５が配置されている。図３（ｃ）に示すように、発光体固定部４９は第１及び第２の棒体５０，５１と両棒体５０，５１基部間に形成された補強板５２とによって構成されている。第１及び第２の棒体５０，５１の先端（背面側）には、ＬＥＤ取付基板５４が装着されている。ＬＥＤ取付基板５４は、同ＬＥＤ取付基板５４に形成された小孔５４ａが、第２の棒体５１先端に形成された突起５２と嵌合状態とされ、止めネジ５６によって第１の棒体５０に対して固定されている。ＬＥＤ取付基板５４の両端寄りには前記固定部４６の背面に向かって一対のＬＥＤ５５が突設されている。したがって、ＬＥＤ５５の光は固定部４６を透過して前面側から遊技者が目視することができる。
このような球跳ねプレート４０は、大きさは図３（ａ）において縦×横が約１５ミリメートル×５０ミリメートルとされている。図４に示すように、両球跳ねプレート４０は、球受け部４２が第１種始動口１８側に傾くように装着されていおり、水平線に対する傾き角度θは約１０度に設定されている。この角度は遊技球が移動できる範囲ならば０度以上で変更可能である。球跳ねプレート４０の上方には遊技空間としての遊技釘２９等の遊技球の干渉物のない空間Ｗが設けられている。遊技球Ｂは干渉物のない空間Ｗのあらゆる位置から球跳ねプレート４０の球受け部４２の上板４３の表面に直接落下することが可能である。
【００１１】
次に、本実施の形態の遊技機の作用について説明する。図４に示すように、本実施の形態のパチンコ機においては、例えば軌跡Ｐで盤面３側方から球跳ねプレート４０に達した遊技球Ｂは勢いがなければ、球受け部４２の上板４３の表面上を転動して上手（図上左端側）から下手側（図上右端側）に移動する（軌跡Ｒ）。また勢いがあっても進入角度が浅い（小さい）ため多少上板４３上でバウンドし、やはり上板４３の表面を転動して上手から下手に移動する。上板４３の表面から落下した遊技球Ｂは更に隣接して配設された遊技釘２９に弾かれて、第１種始動口１８方向へ寄せられる。また、球受け部４２の上板４３は両端の支持部４５でのみ支持され、また端部４３ａも盤面３ａに接触していないので撓みやすい。従って遊技球Ｂが勢い良く衝突した場合にはその反発力により大きく跳ね飛ばされる。一方、軌跡Ｑで球跳ねプレート４０に達した遊技球Ｂは進入角度が大きいため球受け部４２の反発力によって大きくバウンドさせられる。併せて上板４３が盤面中央方向に向かって傾斜しているためバウンドした遊技球Ｂは図上右方向に跳ね上がることとなる。このとき大きくバウンドすれば軌跡Ｒで示すように遊技球Ｂはステージ２８上に落下し、孔３１を経て第１種始動口１８方向へ導かれる。遊技の進行に応じて電源供給部より電力が供給されＬＥＤ５５が発光し、その光が透明なプラスチックからなる球跳ねプレート４０を透過し、遊技者はこれを目視する。
【００１２】
このように構成することにより本実施の形態は以下のような効果を奏する。
（１）球跳ねプレート４０の球受け部４２の上板４３の表面は平滑面であるので遊技釘を並べる場合に比べて遊技球が転動し易く、上記のように僅かに傾斜していれば遊技球は平滑面を転動可能である。従って、僅かな盤面スペースで効率よく遊技球Ｂを盤面３ａの両側から中央へ寄せることが可能である。
（２）僅かな傾斜角度で球跳ねプレート４０を配置することが可能であるため、第１種始動口１８と図柄表示装置１５との間の上下方向の配置スペースを狭く設定することが可能となり、盤面構成の自由度が広がる。
（３）球跳ねプレート４０の球受け部４２が僅かに傾斜していれば遊技球は転動するので、従来の並び釘ではありえなかったゆっくりした速度で遊技球を転動させることができ、遊技球の動きに変化が生じ、ゲーム性を高めることができる。
（４）上記の実施の形態では、板状の固定部４６を盤面３ａに密着させて木ネジ５８のネジ棒部分が遊技盤３内に全て埋没するようにして固定されているので単に釘の先端を中途まで盤面３ａに打ち込んだだけの遊技釘と比較して、強度的に優れ、遊技釘のように抜けたり折れたりすることが少ない。また、突起４８が盤面３ａに食い込んでいるので遊技球Ｂの衝撃により固定位置がずれることもない。さらに、盤面３ａへの装着及び取り外しが容易であり、リサイクルがし易い。
（５）ＬＥＤ５５が発光をするとその光が球跳ねプレート４０を透過するので華やかな雰囲気を醸しだし、遊技者の興趣をいっそう盛り上げることができる。
（６）上板４３は両端の支持部４５でのみ支持され、盤面側の端部４３ａは盤面３ａと接触しないので撓みやすくその反発力により激突する遊技球Ｂを大きく跳ね飛ばすことができる。また、盤面３ａと上板４３の間には隙間が形成されているので上板４３の振動により盤面３ａを傷つけることもない。
【００１３】
なお、この発明は前記実施の形態に限定されるものではなく、次のように変更して具体化することも可能である。
・球跳ねプレート４０の大きさは、遊技球が転動できる範囲で適宜変更してもよい。球跳ねプレート４０は、球受け部４２が第１種始動口１８側に傾くように装着されており、水平線に対する傾き角度θは約１０度であるが、遊技球が転動できる範囲で傾き角度θを変更してもよい。
・球跳ねプレート４０に代えて、図５（ａ）（ｂ）に示す球跳ねプレート６０を装着してもよい。球跳ねプレート６０は固定部６１と同固定部６１の上端縁６３全幅から前方へ張り出し形成された球受け部６２とにより構成されており、断面Ｌ字状に形成されている。固定部６１の両端部には球跳ねプレート４０のネジ孔４７と同様のネジ孔６３が設けられており、遊技球跳ねプレート６０は固定部６１の両側寄りのネジ孔６３に螺入された木ネジによって盤面３ａに固定される。球跳ねプレート６０の盤面への装着位置は球跳ねプレート４０と同様である。以下特に説明しない限り、装着手段及び装着位置は球跳ねプレート４０と同様である。この場合には球受け部６２が固定部６１の上端縁６３全体で支持されているため支持部４５だけで支持されている上記球跳ねプレート４０と比較して球受け部６２が撓みにくく遊技球Ｂを跳ね飛ばす面で劣ることとなる。しかし、上記（１）〜（４）の効果は同様に奏され、更に製造が簡単でコストがかからないという利点がある。
【００１４】
・球跳ねプレート４０に代えて、図６（ａ）〜（ｄ）に示す球跳ねプレート７０を装着してもよい。球跳ねプレート７０は、固定部７１と同固定部７１の中程前幅から前面に張り出し形成された球受け部７２より構成されており、断面Ｔ字状に形成されている。固定部７１の四隅には球跳ねプレート４０のネジ孔４７と同様のネジ孔７３が設けられている。この場合には上記（１）〜（４）の効果は同様に奏され、更に四隅で木ネジで固定できるのでより強固に盤面３ａに固定できるという利点がある。
・球跳ねプレート４０に代えて、図７（ａ）〜（ｄ）に示す球跳ねプレート８０を装着してもよい。球跳ねプレート８０は、固定部８１と球受け部８２とで構成されている。固定部８１は略長方形板状に形成され、隅部はアーチ状に形成されている。また、縁部８１ａは斜めに面取りされている。固定部８１の四隅には球跳ねプレート４０のネジ孔４７と同様のネジ孔８５が設けられている。固定部８１の中央には長手方向に長孔８３が形成されており、同長孔８３の両側には一対の支持部８４が形成されている。同一対の支持部８４間には球受け部８２が形成されている。固定部８１の背面側には、上下中央の２か所に球跳ねプレート４０の４８と同様の突起８６が設けられている。
この場合には、球跳ねプレート４０と同様に球受け部８２が支持部８４でのみ支持されているので撓みやすく遊技球Ｂが勢いよく衝突した場合にはその反発力により大きく跳ね飛ばすことができる。また、球受け部８２の端部８２ａが盤面３ａと接触しないので盤面を傷つけることもない。また、上記（１）〜（４）の効果は同様に奏される。
【００１５】
・球跳ねプレート４０に代えて、図８（ａ）〜（ｄ）に示す球跳ねプレート９０を装着してもよい。球跳ねプレート９０は、固定部９１と球受け部９２とで構成されている。固定部９１は略長方形板状に形成されている。また、下縁部９１ａは斜めに面取りされている。固定部９１の両端には球跳ねプレート４０のネジ孔４７と同様のネジ孔９５が設けられている。球受け部９２は、上板９３と下板９４からなり、下板９４の中央から支持部９５を延出し、上板９３を中央部でのみ支持している。固定部９１の背面側には、上部両端、下部中央の３か所に球跳ねプレート４０の４８と同様の突起９６が設けられている。球跳ねプレート４０では、遊技球Ｂが上板４３の中央部に衝突した場合が最も跳ね飛ばす力が強く、中央からずれるほど跳ね飛ばす力が弱くなるが、この球跳ねプレート９０の場合には、上板９３の端部に遊技球が衝突した場合が最も跳ね飛ばす力が強くなる。更に上記（１）〜（４）の効果も同様に奏する。
【００１６】
・球跳ねプレート４０に代えて、図９（ａ）〜（ｄ）に示す球跳ねプレート１００を装着してもよい。球跳ねプレート１００は、固定部１０１の上部を円弧状とした略蒲鉾形状とし、球受け部１０２もこれに応じて円弧状に湾曲させたものである。固定部１０１の中央には長手方向に円弧状の長孔１０３が形成されており、同長孔１０３の両側には一対の支持部１０４が形成されている。同一対の支持部１０４間には球受け部１０２が形成されている。球受け部１０２の端部１０２ａは装着状態において盤面３ａと接触しない。固定部１０１の縁部１０１ａは斜めに面取りされている。固定部１０１の上部両端には、球跳ねプレート４０のネジ孔４７と同様のネジ孔１０５が設けられている。固定部１０１の背面側には、上下中央の２か所に球跳ねプレート４０の４８と同様の突起１０６が設けられている。
この場合には球跳ねプレート８０と同様の効果に加え、球跳ねプレート１００を傾斜させて装着しなくても、落下した遊技球は左右のいずれかに転動する。従って、球跳ねプレート１００を球跳ねプレート４０の装着位置のみならず、盤面３ａ上部中央、即ち、普通図柄表示装置１６の直上に装着することも可能である。
【００１７】
・球跳ねプレート４０に代えて、図１０（ａ）〜（ｄ）に示す球跳ねプレート１１０を装着してもよい。球跳ねプレート１１０は、固定部１１１と球受け部１１２とで構成されている。固定部１１１は楕円形板状に形成されている。固定部１１１の四隅には球跳ねプレート４０のネジ孔４７と同様のネジ孔１１４が設けられている。固定部１１１の縁部１１１ａはアール状に面取りがなされている。固定部１１１の中央には長手方向に長孔１１３が形成されており、同長孔１１３の両側には一対の支持部１１６が形成されている。同一対の支持部１１６間には球受け部１１２が形成されている。固定部１１１の背面側には、上下中央の２か所に球跳ねプレート４０の４８と同様の突起１１５が設けられている。この場合には、球跳ねプレート８０と同様の効果のほか、固定部１１１が楕円形に形成されていることから、視覚的に遊技者に異なった印象を与えることができる。
・球跳ねプレート４０に代えて、図１１（ａ）〜（ｄ）に示す球跳ねプレート１２０を装着してもよい。球跳ねプレート１２０は、固定部１２１と球受け部１２２とで構成されている。固定部１２１は楕円形板状に形成されている。固定部１２１の両端には球跳ねプレート４０のネジ孔４７と同様のネジ孔１２５が設けられている。固定部１２１の下部縁部１２１ａはアール状に面取りがなされている。固定部１２１の上部中央には固定部１２１の上縁に沿って長溝１２３が形成されており、同長溝１２３の両側には一対の支持部１２４が形成されている。同一対の支持部１２４間には球受け部１２２が形成されている。球受け部１２２は、固定部１２１の上縁に沿って湾曲して形成されている。球受け部１２２の端部１２２ａは、盤面３ａに装着した状態において、盤面に接触しない。固定部１２１の背面側には、下部中央に球跳ねプレート４０の４８と同様の突起１２６が設けられている。
この場合には、球跳ねプレート１００と同様の効果のほか、固定部１２１が楕円形に形成されていることから、視覚的に遊技者に異なった印象を与えることができる。
【００１８】
・球跳ねプレート４０に代えて、図１２（ａ）〜（ｄ）に示す球跳ねプレート１３０を装着してもよい。球跳ねプレート１３０は、固定部１３１と球受け部１３３とで構成されている。固定部１３１は楕円形板状に形成されている。固定部１３１の両端には球跳ねプレート４０のネジ孔４７と同様のネジ孔１３８が設けられている。球受け部１３２は、上板１３３と下板１３５からなり、下板１３５の中央から支持部１３４を延出し、上板１３３を中央部でのみ支持している。球受け部１３２は、固定部１３１の上縁に沿って円弧状に湾曲して形成されている。上板１３３の端部１３３ａは、盤面３ａに装着した状態において、盤面３ａに接触しない。
この場合には、球跳ねプレート９０と同様の効果のほか、固定部１３１が楕円形に形成されていることから、視覚的に遊技者に異なった印象を与えることができる。また、球受け部１３２は、円弧状に湾曲して形成されているので、球跳ねプレート１００と同様、球跳ねプレート１３０を傾斜させて装着しなくても、落下した遊技球は左右のいずれかに転動する。従って、球跳ねプレート１３０を球跳ねプレート４０の装着位置のみならず、盤面３ａ上部中央、即ち、普通図柄表示装置１６の直上に装着することも可能である。
・球跳ねプレート４０に代えて、図１３（ａ）〜（ｄ）に示す球跳ねプレート１４０を装着してもよい。球跳ねプレート１４０は、球受け部１４２と固定部１４４とで構成されている。球受け部１４２は長方形板状に形成されている。一対の固定部１４４は球受け部１４２の背面側の両端に設けられている。固定部１４４は小判形板状に形成されている。固定部１４４には、球受け部１４２を挟んだ上下に球跳ねプレート４０のネジ孔４７と同様のネジ孔１４３が設けられている。球受け部１４２の端部１４２ａは、盤面３ａに装着した状態において、盤面に接触しない。この場合には、上記（１）〜（４）と同様の効果を奏する。
【００１９】
・球跳ねプレート４０に代えて、図１４（ａ）〜（ｄ）に示す球跳ねプレート１５０を装着してもよい。球跳ねプレート１５０は、球受け部１５２と固定部１５４とで構成されている。球受け部１５２は長方形板状に形成されている。一対の固定部１５４は球受け部１４２の背面側の両端下側に設けられている。固定部１５４は隅丸正方形板状に形成されている。固定部１５４には、球跳ねプレート４０のネジ孔４７と同様のネジ孔１５５が設けられている。球受け部１５２の端部１５２ａは、盤面３ａに装着した状態において、盤面に接触しない。
この場合には、上記（１）〜（４）と同様の効果を奏する。
・球跳ねプレート４０に代えて、図１５（ａ）〜（ｄ）に示す球跳ねプレート１６０を装着してもよい。球跳ねプレート１６０は、固定部１６２と球受け部１６４とで構成されている。固定部１６２は上部及び下部を円弧状とした形状に形成されている。固定部１６２の両端には球跳ねプレート４０のネジ孔４７と同様のネジ孔１６７が設けられている。固定部１６２の下部縁部１６２ａはアール状に面取りがなされている。固定部１６２の上部中央には固定部１２１の上縁に沿って長溝１６５が形成されており、同長溝１６５の両側には一対の支持部１６６が形成されている。同一対の支持部１６６間には球受け部１６４が形成されている。球受け部１６４は、固定部１６２の上縁に沿って湾曲して形成されている。球受け部１６４の端部１６４ａは、盤面３ａに装着した状態において、盤面に接触しない。
この場合には、球跳ねプレート１００と同様の効果のほか、固定部１６２が上部及び下部を円弧状とした形状に形成されていることから、視覚的に遊技者に異なった印象を与えることができる。
【００２０】
・球跳ねプレート４０に代えて、図１６（ａ）（ｂ）に示す球跳ねプレート１７０を装着してもよい。球跳ねプレート１７０は、長方形板状の固定部１７１の上端から上板１７２、下端から下板１７３を延出したものであり、全体を断面コ字状に形成したものである。固定部１７１には球跳ねプレート４０のネジ孔４７と同様の一対のネジ孔１７６が形成され、このネジ孔１７６を介して木ネジ１７７が盤面に螺着されている。固定部１７１の背面には左右中の３か所に球跳ねプレート４０の４８と同様の突起１７５が設けられている。この場合には上記（１）〜（４）と同様の効果に加え、上板１７２の上面でも遊技球Ｂを跳ね飛ばしたり、転動させることができるし、下板１７３の上面でも遊技球Ｂを転動させることができる。また、遊技球跳ねプレート１７０の長さは適宜変更してもよい。
・球跳ねプレート４０に代えて、図１７（ａ）（ｂ）に示す球跳ね具１８０を装着してもよい。球跳ね具１８０は全体を断面ロ字状の角パイプとし、その両端の上下に固定部１８１を設けたものである。固定部１８１には球跳ねプレート４０のネジ孔４７と同様のネジ孔１８４が設けられている。
この場合には上記（１）〜（４）と同様の効果を奏する。即ち、上面１８２でも遊技球を弾き飛ばしたり、転動させることができるし、通路１８３でも遊技球を転動させることができる。
【００２１】
・図１８（ａ）〜（ｃ）に示すように球跳ねプレート１９０を第１種始動口１８の両側に装着してもよい。球跳ねプレート１９０は、固定部１９１と二つの球受け部１９２，１９３とからなる。固定部１９１は、上部輪郭が折れ線状に形成され、下部両端には球跳ねプレート４０のネジ孔４７と同様のネジ孔１９５が設けられている。球跳ねプレート１９０は、このネジ孔１９５に木ネジ２０４が螺着され、盤面３ａに固定されている。固定部１９１の下部縁１９１ａは斜めに面取りされている。固定部１９１の背面側には、上部に一定の間隔をおいて一対、及び下部中央に球跳ねプレート４０の突起４８と同様の突起１９６が設けられている。固定部１９１の上端には、配置高さの異なる球受け部１９２，１９３が設けられている。球受け部１９２，１９３はそれぞれ上板１９７，１９８と下板１９９，２００を有し、上板１９７，１９８は支持部２０１，２０２により支持されている。両球受け部１９２，１９３は、水平線に対して第１種始動口１８方向に約１０度の傾きをもって設けられている。
この場合には図１８（ａ）に示すように、遊技球Ｂが球受け部１９２に落下する角度、勢いにより、球受け部１９２で弾き飛ばされた遊技球Ｂがさらに球受け部１９３に跳ね飛ばされるようにして、第１種始動口１８に導くことも可能である。また、遊技球の跳ね方に予測がつきにくく、ゲーム性を高めることができる。また、球受け部１９２，１９３の幅（図１８（ｂ）におけるＳ１，Ｓ２）、高さ、傾斜の角度を変えてもよい。球受け部を３つ以上設けてもよい。
【００２２】
・図１９（ｂ）に示すように、盤面３ａのいづれかに通路口２０５を設けてその直下に図１９（ａ）（ｂ）に示す球跳ねプレート２０６を装着してもよい。球跳ねプレート２０６は、図７（ａ）〜（ｄ）で説明した球跳ねプレート８０の球受け部８２を盤面３ａ側に向かって傾斜させ、固定部２０７側が下がるようにしたものである。
この場合には、上記（１）〜（４）と同様の効果に加え、遊技盤３に平行に落下してきた遊技球Ｂを軌跡Ｔに示すように盤面３ａ側に跳ね飛ばして通路口２０５に入れることができる。
・遊技球跳ねプレート４０に代えて、図２０（ａ）（ｂ）に示す球跳ねプレート２１０を装着してもよい。球跳ねプレート２１０は、球跳ねプレート８０の球受け部８２の上面に一定の間隔でゴムからなる帯２１３を装着したものである。
この場合には、上記（１）〜（４）と同様の効果に加え、遊技球が帯２１３の部分に衝突した場合にはあまり跳ね飛ばされず、帯２１３の部分以外の部分に衝突した場合には大きく跳ね飛ばされる。従って、偶然により遊技球の跳ね方が変化し、ゲーム性を高めることができる。
【００２３】
・球跳ねプレート４０に代えて、図２１（ａ）（ｂ）に示す球跳ねプレート２２０を装着してもよい。球跳ねプレート２２０は、球跳ねプレート８０の球受け部８２の上面に凹凸部２２３を設けたものである。この場合には、上記（１）〜（４）と同様の効果に加え、衝突した遊技球Ｂがどの方向に跳ね飛ばされるかが予測できず、ゲーム性を高めることができる。但し、あまり大きな凹凸を設けると球受け部８２の傾斜が緩やかな場合には遊技球Ｂが停止するおそれがある。
・図２２（ａ）（ｂ）に示すように、風車２３２と球受け部２３３を一体的に構成した球跳ね具２３０を第１種始動口１８の両側に装着してもよい。図２２（ｂ）に示すように遊技盤３には孔３ｂが形成されている。同孔３ｂを覆うように球跳ね具２３０が装着されている。球跳ね具２３０は固定部２３１と風車２３２と球受け部２３３とからなる。固定部２３１は上部が円弧状に形成された略台形状に形成されている。固定部２３１の上部中央の背面側に風車を装着するための軸通し２３４が突設され、軸通し２３４には正面側から貫通する軸孔２３４ａが設けられている。軸孔２３４ａには風車２３２の軸２３５が挿通され、同軸２３５の正面側には風車２３２が回動可能に装着され、背面側はピン２３６で抜け止めがなされている。固定部２３１の下部には長手方向に長孔２３８が傾斜して設けられ、同長孔２３８の両側から一対の支持部２３９が形成されている。同一対の支持部２３９間には球受け部２３３が形成されている。固定部２３１には球跳ねプレート４０のネジ孔４７と同様のネジ孔２４１が下部両端、上部中央の３か所に形成され、このネジ孔２４１を介して木ネジ２４２が遊技盤３に螺着されている。固定部２３１の背面側中程両端、下端部中央の３か所に球跳ねプレート４０の４８と同様の突起２４３が設けられている。前記突起２４３は盤面３ａに食い込んでいる。
この場合には、遊技球Ｂが風車２３２の上方から落下すると、風車２３２を図上反時計回りに回転させながら球受け部２４０に落下し、球受け部２４０の反発力によりバウンドし、第１種始動口１８の開口部方向に移動する。または、風車２３２を図上時計回りに回転させながら球受け部２４０に落下し、球受け部２４０の上面を転動し、球受け部２４０の端部から下方に落下する。一方、遊技球Ｂの進入角度が浅いと球受け部２４０の上面を転動し、風車２３２を図上時計回りに回転させながら球受け部２４０の端部から下方に落下する。
この球跳ね具２３０を使用した場合には、風車と球跳ねプレートとを別々に盤面に脱着せずに済み、脱着作業が簡単に済み、結果として遊技機のリサイクルも容易となる。
【００２４】
・図２３（ａ）〜（ｅ）に示すようにセグメント表示部２４４と一体化した球跳ね具２４０を、盤面３ａのいずれかに装着してもよい。球跳ね具２４０は、固定部２４１，入賞口入口２４２，球受け部２４３，セグメント表示部２４４とからなる。固定部２４１の最上部には正面半円形状に形成された入賞口入口２４２が設けられている。盤面３ａに装着する場合には、入賞口入口２４２に位置する部分に盤面３ａに入賞口を設ける必要がある。固定部２４１の下部中央にはセグ表示部２４４が設けられている。セグ表示部２４４は、図２３（ｄ）に示すように、固定部２４１に長方形状の孔２４５を形成し、同孔２４５の裏面側にＬＥＤよりなるセグ表示板２４６を装着したものである。固定部２４１の左右部には一対の球受け部２４３が設けられている。球受け部２４３はセグ表示部２４４側が低くなるように傾斜して形成され、セグ表示部２４４側の端部２４３ａは円柱状に形成されている。端部２４３ａの背面側には図２３（ｅ）に示すようにネジ孔２４３ｂが形成されている。このネジ孔２４３ｂは盤面３ａ側から木ネジを螺着し球跳ね具２４０を固定するためのものである。固定部２４１の球受け部２４３の下方にはＬＥＤ２４７が４個配設されている。ＬＥＤ２４７は固定部２４１の背面側に配置される。図２３（ｃ）に示すようにＬＥＤ２４７が配置される部分の固定部２４１には透光性を有するカバー２４８が装着される。固定部２４１には球跳ねプレート４０のネジ孔４７と同様のネジ孔２４１ａが上部両端の２か所に形成され、同ネジ孔２４１ａに木ネジ２４９が螺着されている。この場合には、遊技球Ｂが勢い良く球跳ね部２４３に落下するとバウンドして入賞口入口２４２方向へ移動する。遊技球Ｂの進入角度が浅いと球受け部２４３の上面を転動し、球受け部２４３の端部から下方に落下する。この球跳ね具２４０を使用した場合には、入賞口入口とセグ表示部と球跳ねプレートとを別々に盤面に脱着せずに済み、脱着作業が簡単に済み、結果として遊技機のリサイクルも容易となる。また、ＬＥＤ２４７は固定部２４１に装着してもよいし、遊技盤３に装着してもよい。カバー２４８だけでなく、球跳ね具２４０全体（セグ表示板２４６を除く。）を透光性を有する素材で形成してもよい。
【００２５】
・図２４に示すように図柄表示装置２５０の両側に遊技球の通路２５１を設け、通路２５１の入口２５２の下方に球跳ねプレート２６０を配置してもよい。遊技球の通路２５１は傾斜部２５３と垂直部２５４からなる。傾斜部２５３は図柄表示装置２５０の両側に延出され、その先端には入口２５２が設けられている。傾斜部２５３は入口２５２から図柄表示装置２５０の端部まで入口２５２が上方になり、図柄表示装置２５０方向が下方になるように傾斜して形成されている。垂直部２５４は、図柄表示装置２５０の縁に沿ってほぼ垂直に形成されている。垂直部２５４には遊技球Ｂの急激な落下を防止するための斜板２５５が形成されている。垂直部２５４の下端の図柄表示装置２５０方向には出口２５６が設けられている。図柄表示装置２５０の下端には出口２５６から出てくる遊技球Ｂを第１種始動口２５９方向に誘導するためのステージ２５７が形成されている。ステージ２５７は中央方向に向かって傾斜して形成され、ステージ２５７の中央には孔２５８が形成されている。孔２５８の下方には第１種始動口２５９が配置されている。
球跳ねプレート２６０は、図１９（ａ）（ｂ）で説明した球跳ねプレート２０６と同様球受け部２６２を盤面３ａ側に向かって傾斜させ、固定部２６１側が下がるようにしたものである。球跳ねプレート２６０の固定部２６１は球跳ねプレート２０６と異なり、球跳ねプレート４０のネジ孔４７と同様のネジ孔２６３は右上と左下の２か所にのみ設けられている。球跳ねプレート２６０は、球受け部２６２が図柄表示装置２５０側に傾斜するように装着されている。球跳ねプレート２６０は、ネジ孔２６３には木ネジ２６４が螺着されることにより、盤面３ａに固定されている。
通路２５１の垂直部２５４下端部の両側には風車２６６が装着されている。風車２６６と第１種始動口２５９との間には斜め下がりに遊技釘２６７が複数配置されている。この場合には、遊技球Ｂが球受け部２６２に対して進入角度が鈍角で勢い良く衝突すると、盤面３ａ側に跳ね飛ばされて入口２５２に入り、通路２５１を通ってステージ２５７に達し、孔２５８に落下し、第１種始動口２５９方向に誘導される。遊技球Ｂが勢いのない状態で球受け部２６２に落下すると、球受け部２６２上を転動し、風車２６６上に落下する。この通路２５１は透明な材質で形成してもよいし、不透明な材質で形成してもよい。透明な材質で形成した場合は、通路２５１内を動く遊技球Ｂが遊技者に目視され、視覚上の変化を与えることができる。不透明な材質で形成した場合は、入口２５２に入った遊技球Ｂが暫くしてからステージ２５７上に突然出現するのでゲームに面白みを付加することができる。
【００２６】
・図２５（ａ）〜（ｆ）に示す球跳ねプレート２７０を第１種始動口１８の両側に装着してもよい。球跳ねプレート２７０は、球受け部２７１が固定部２７２の幅から大きくはみ出して形成されており、球受け部２７１は片側でのみ支持されている。固定部２７１には、球跳ねプレート４０のネジ孔４７と同様のネジ孔２７３が２個形成されている。
この場合には、上記（１）〜（４）と同様の効果に加え、遊技球を長距離に渡って誘導できる。また、球受け部２７１の図２５（ａ）における左部に遊技球が落下した場合には、球受け部２７１が大きく撓み、その反発力により遊技球を大きく跳ね飛ばすことができる。但し、勢いのない遊技球を誘導する場合には、遊技球の移動が予測しやすくなり、ゲーム性に欠けることになる。遊技球の移動を予測しにくくするために、図２５（ｆ）に示すように、球受け部２７１に落とし穴２７３を設けてもよい。
・球跳ねプレート４０の球受け部４２の上板４３上に図示しないシートスイッチを設けて、遊技球がシートスイッチ上に落下すると信号が図示しない制御部に入力され、ＬＥＤ５５が点灯するようにしてもよい。シートスイッチの替わりに、遊技球の落下を検知できるものであれば圧電スイッチ等を使用してもよい。この場合には、遊技球が上板４３上に落下したときにのみＬＥＤ５５が点灯するため遊技者に視覚上の変化を与えることができる。
【００２７】
・球跳ねプレート４０に代えて、図２６（ａ）（ｂ）に示す球跳ね具２７５を装着してもよい。図２６（ｃ）（ｄ）に示す球跳ね具２７６を装着してもよい。この場合にも、上記（１）〜（４）の効果と同様の効果を奏するが、遊技球と干渉する部分が板体でないため、遊技球を跳ね飛ばすことについては、劣ることとなる。
・球跳ねプレート及び球跳ね具の盤面への固定の手段は、木ネジによるものだけでなく、例えば図２７（ａ）に示すように、球跳ねプレートの固定部２８０に形成された孔２８１を遊技盤３に形成された孔３ｂに配置し、樹脂製の留め具２８３を孔２８１，孔３ｂに挿通した後、留め具２８３に形成された孔２８３ａに、同じく樹脂製の留め具２８４を嵌合するようにしてもよい。図２７（ｂ）に示すように、樹脂性の留め具２８７の先端に切欠部２８９を形成し、径の大きさが伸縮するようにして孔３ｂにはめ込むようにしてもよい。
・本実施の形態のパチンコ機に装着された球跳ねプレート及び球跳ね具の素材は合成樹脂であるが、合成樹脂以外の素材で構成してもよい。例えば、鉄等の金属、セラミックスでもよい。
・発光体は、ＬＥＤに限られず、豆電球等でもよい。
・ＬＥＤを備えたものは、球跳ねプレート４０だけであるが、球跳ねプレート６０，７０，８０，９０，１００，１１０，１２０，１３０，１４０，１５０，１６０，１７０，１９０，２０６，２１０，２２０，２６０，２７０，球跳ね具１８０，２３０，２４０，２７５，２７６を透光性を有する合成樹脂で形成し、ＬＥＤを装着することは可能である。
・本実施の形態の遊技機は第１種のパチンコ機であるが、第２種、第３種等のパチンコ機、その他の遊技機に球跳ねプレート４０等、球跳ね具１８０等を装着することは可能である。
【００２８】
本発明について上記実施の形態から把握できる技術的思想について以下に記載する。
（１）ほぼ垂直に配置された遊技盤と遊技球を弾く弾球手段とを有し、少なくとも同遊技盤面には入賞口と同弾球手段により弾かれて上方から落下する遊技球を誘導し或いは散乱させる球跳ね部材とを設け、同球跳ね部材の干渉を受けながらも遊技球を入賞口に入賞させることで賞球を獲得することを目的とした遊技機において、前記球跳ね部材は前記遊技盤の面方向に延設された延設部を有し、同延設部表面に遊技球が干渉し、同延設部の表面に転動面又は凹凸部又はその両方を形成したことを特徴とする遊技機。上記の発明では、転動面を僅かに傾斜させれば遊技球は転動可能であり、僅かな盤面スペースで効率よく遊技球を盤面の両側から中央へ寄せることが可能である。従って、例えば第１種始動口等の入賞口を図柄表示装置のすぐ下に設けることも可能となり、盤面構成の自由度が広がる。また、落下した遊技球はどの方向に弾き飛ばされるか予測が付かず、遊技性を高めることができる。なお、従来の遊技機においては、遊技釘が使用されているので、遊技球が何度も衝突すると金属疲労により盤面に打ち付けた遊技釘が根元から折れるという問題があったが、上記の発明によれば並び釘を使用しなくても遊技球の移動が可能である。
【００２９】
（２）前記延設部は前記遊技盤面に固定される固定部から突出して形成されている上記（１）に記載の遊技機。上記の発明では、上記（１）に記載の発明の効果に加え、延設部は遊技盤面に固定される固定部から突出して形成されているので、可撓性を持たせやすく、落下した遊技球を大きく弾き飛ばすことも可能である。
（３）前記延設部は前記固定部に対して同延設部全長の一部にて支持されている上記（２）に記載の遊技機。上記の発明では、上記（２）に記載の発明の効果に加え、延設部は固定部に対して同延設部全長の一部にて支持されているので、撓みやすくその弾力により落下する遊技球を大きく弾き飛ばすことができる。また、延設部の盤面側の端部は盤面と接触せず、盤面を傷つけることもない。
（４）前記球跳ね部材に発光体を備えた上記（１）〜（３）のいずれかに記載の遊技機。従来の遊技機においては、遊技釘自体にランプ等の電飾を入れることは構造上不可能であり、シール等を貼ることもできなかった。上記の発明では、上記（１）〜（３）に記載の発明の効果に加え、球跳ね部材に発光体を備えたので、発光体が発光をすると華やかな雰囲気を醸しだすことができる。
（５）前記球跳ね部材の少なくとも一部には透光性を有する透光部を設けた上記（１）〜（４）のいずれかに記載の遊技機。上記の発明では、上記（１）〜（４）に記載の発明の効果に加え、発光体を球跳ね部材の盤面側に設けても発光体の光が透過するので発光体を盤面の内部に設けることも可能となる。
【００３０】
（６）前記球跳ね部材を合成樹脂にて構成した上記（１）〜（５）のいずれかに記載の遊技機。従来の遊技機においては、遊技機を廃棄する場合に盤面から遊技釘を１本づつ取り外すという煩雑な作業を行っており、部品のリサイクルが困難であるという問題もあった。上記の発明では、上記（１）〜（５）に記載の発明の効果に加え、所望の形状の球跳ね部材が安価にしかも簡単に製造できるので、遊技機の製造コストを低減できる。また、球跳ね部材の形状によっては遊技釘に比較して盤面への脱着も容易であり、リサイクルも容易となる。
（７）前記球跳ね部材は前記入賞口近傍に配設され、前記延設部表面と干渉する遊技球が前記入賞口方向に誘導される上記（１）〜（６）のいずれかに記載の遊技機。上記の発明では、上記（１）〜（６）に記載の発明の効果に加え、入賞口近傍に配設され、前記延設部表面と干渉する遊技球が前記入賞口方向に誘導されるので、僅かな盤面スペースで効率よく遊技球を入賞口方向に寄せることができる。
（８）前記延設部表面の直上に遊技球に干渉するものがない領域又は遊技球に干渉するものが疎である領域を設け、遊技球が前記領域外から直接前記延設部表面に落下することが可能である上記（１）〜（７）に記載の遊技機。上記の発明では、上記（１）〜（７）に記載の発明の効果に加え、延設部表面に特に誘導されることなくあらゆる方向から遊技球を落下させることが可能である。
【００３１】
（９）前記延設部の表面は、軟質体の部分と硬質体の部分とがある請求項１又は上記（１）に記載の遊技機。上記の発明によれば、請求項１又は上記（１）に記載の発明の効果に加え、軟質体の部分と硬質体の部分とのいずれに落下するかにより遊技球の跳ね方が異なり、遊技球の跳ね方の予測がつかず遊技性を高めることができる。
（１０）前記延設部の盤面側の端部は盤面と接触しない上記（２）に記載の遊技機。上記の発明によれば、上記（２）に記載の発明の効果に加え、遊技球の衝撃により延設部が振動をしても盤面を傷つけるおそれがない。
（１１）前記延設部の表面に遊技球の接触を検知する手段を備え、同検知手段に遊技球が接触すると発光体が発光するようにした上記（４）又は（５）に記載の遊技機。上記の発明によれば、上記（４）又は（５）に記載の発明の効果に加え、延設部表面に遊技球が接触する度に発光体が発光するので華やかな雰囲気を醸しだすことができる。
（１２）前記延設部の表面は固定部側が低くなるように傾いて形成されている上記（２）に記載の遊技機。上記の発明によれば、上記（２）に記載の発明の効果に加え、落下した遊技球を盤面側に跳ね飛ばすことができる。
（１３）風車、セグ表示部、入賞口入口のいずれか又はこれらの任意の組合せと一体的に形成された請求項１又は上記（１）〜（１２）のいずれかに記載の遊技機。
【符号の説明】
【００３２】
３…遊技盤、１５…表示装置、１８，２５９，…第１種始動口、２２…大入賞口、４０…球跳ね部材としての球跳ねプレート、４２…延設部としての球受け部、５５…発光体としてのＬＥＤ、２２３…凹凸部、Ｗ…遊技空間としての遊技球の干渉物のない空間。
【図１】
2010158539.tif 000003
【図２】
2010158539.tif 000004
【図３】
2010158539.tif 000005
【図４】
2010158539.tif 000006
【図５】
2010158539.tif 000007
【図６】
2010158539.tif 000008
【図７】
2010158539.tif 000009
【図８】
2010158539.tif 000010
【図９】
2010158539.tif 000011
【図１０】
2010158539.tif 000012
【図１１】
2010158539.tif 000013
【図１２】
2010158539.tif 000014
【図１３】
2010158539.tif 000015
【図１４】
2010158539.tif 000016
【図１５】
2010158539.tif 000017
【図１６】
2010158539.tif 000018
【図１７】
2010158539.tif 000019
【図１８】
2010158539.tif 000020
【図１９】
2010158539.tif 000021
【図２０】
2010158539.tif 000022
【図２１】
2010158539.tif 000023
【図２２】
2010158539.tif 000024
【図２３】
2010158539.tif 000025
【図２４】
2010158539.tif 000026
【図２５】
2010158539.tif 000027
【図２６】
2010158539.tif 000028
【図２７】
2010158539.tif 000029
【図２８】
2010158539.tif 000030